(57)【要約】【課題】精度良く、且つ効率良く秤量を行うことが可能な秤量補助装置を提供する。【解決手段】この課題を解決する秤量補助装置３は、秤量装置２に取り付けられる秤量補助装置３であって、第１薬剤載置ユニット３１と、光センサ３７と、格納部３３と、封止部材３５とを備える。第１薬剤載置ユニット３１は、薬剤ビン５に収容された薬剤が、それぞれが載置される複数の薬剤載置部３６を有し、秤量皿２１上に配置される。光センサ３７は、それぞれの薬剤載置部３６における薬剤の載置及び取り外しを検知する。格納部３３は、光センサ３７が格納され、秤量補助装置３を秤量装置２に取り付けた状態において秤量皿２１を覆うように配置される。封止部材３５は、秤量補助装置３を秤量装置２に取り付けた状態において秤量皿２１の周囲に設けられ、秤量装置本体２２と格納部３３の間を封止する。【選択図】図２
2015152425.tif 000002
【特許請求の範囲】
【請求項１】
秤量皿と、前記秤量皿に載置された物体の重量を測定する秤量装置本体とを備えた秤量装置に取り付けられる秤量補助装置であって、
薬剤容器に収容された薬剤が、それぞれ載置される複数の載置部を有し、前記秤量皿上に配置される載置ユニットと、
それぞれの前記載置部における前記薬剤の載置及び取り外しを検知する検知部と、
前記検知部が格納され、前記秤量補助装置を前記秤量装置に取り付けた状態において前記秤量皿を覆うように配置される格納部と、
前記秤量補助装置を前記秤量装置に取り付けた状態において前記秤量皿の周囲に設けられ、前記秤量装置本体と前記格納部の間を封止する封止部材と
を備えた、秤量補助装置。
【請求項２】
前記格納部は、
前記秤量補助装置を前記秤量装置に取り付けた状態において前記秤量皿に対して略垂直方向に貫通した貫通部を有し、
前記載置ユニットは、前記秤量補助装置を前記秤量装置に取り付けた状態において前記貫通部を介して前記複数の載置部を前記秤量皿上に支持する支持部を有する、
請求項１に記載の秤量補助装置。
【請求項３】
前記格納部は、前記秤量補助装置を前記秤量装置に取り付けた状態において前記複数の載置部が配置される配置空間を有しており、
前記検知部は、光センサであって、前記配置空間に配置された前記複数の載置部に向かって光を照射する、
請求項２記載の秤量補助装置。
【請求項４】
前記秤量補助装置を前記秤量装置に取り付けた状態において、前記格納部と前記秤量皿の間に配置され、前記載置ユニットの位置決めを行う位置決め部材を更に備え、
前記位置決め部材は、前記支持部と嵌合する嵌合部を有し、
前記支持部は、前記秤量補助装置を前記秤量装置に取り付けた状態において前記格納部を挟んで前記位置決め部材の反対側から前記貫通部を介して前記嵌合部と嵌合している、
請求項２記載の秤量補助装置。
【請求項５】
秤量皿と、前記秤量皿に載置された物体の重量を測定する秤量装置本体とを有する秤量装置と、
前記秤量装置に取り付けられる請求項１〜４のいずれかに記載の秤量補助装置と、
前記複数の載置部から所定の薬剤を取り外して操作した後に再び載置した際、前記検知部による検知結果に基づいて、前記取り外された薬剤を判別する判別部と、前記取り外しの前後における前記所定の薬剤の重量変化を、前記秤量装置による測定結果から計算する計算部とを有する制御装置と
を備えた、秤量システム。
【発明の詳細な説明】
【技術分野】
【０００１】
本発明は、秤量補助装置、及びそれを用いた秤量システムに関する。
【背景技術】
【０００２】
患者個別に薬剤を施用する際、薬剤師、看護師、医師などが処方箋等に従って複数の薬剤を混合し、調剤を行う場合がある。このような調剤を行う際には、複数の薬剤それぞれが処方箋で決められた量であることを正確に計測して混合する必要がある。
そのため例えば特許文献１では、調剤において、液状薬剤を注射器で吸引する際あるいは粉末状薬剤の容器に加える溶解液を注射器で吸引する際に、吸引前の注射器の重量と吸引後の注射器の重量とを秤量装置で測定し、注射器に正確な液量を吸引しているか否かの判定が行われていた。
【０００３】
一方、秤量装置としては例えば電子天秤が挙げられるが、エアコン、ファン等による外部からの空気の流動、人の動作による空気の流動、これらの空気の流れの変動が測定値に影響を与え、測定値が安定しない場合があった。特に、特許文献１に記載のように、秤量装置をクリーンベンチ内で用いる場合には、クリーンベンチ内のダウンフローによる測定値への影響が顕著であった。
このような空気の流動が測定値に与える影響を低減して精度の高い秤量を行うために、秤量皿を覆うように風防が設けられた秤量装置が開示されている（例えば、特許文献２参照）。
【先行技術文献】
【特許文献】
【０００４】
【特許文献１】特開２０１０−１７９０３９号公報
【特許文献２】国際公開２００８−１０８１３０号公報
【発明の概要】
【発明が解決しようとする課題】
【０００５】
しかしながら、上記従来の装置では以下の問題点がある。
すなわち、上記特許文献１では、薬剤を操作する毎に薬剤容器又は注射器を載置場所から天秤上に移動して重量変化の測定を行い、再度元の載置場所に移動させる必要があるため、溶解あるいは混合する薬剤が複数存在する場合には非常に手間がかかっていた。
また、風防を備えた構成の場合には、薬剤を出し入れする度に風防の蓋を開閉する必要があり、更に手間がかかるものであった。
【０００６】
本発明は、上記従来の課題を考慮して、精度良く、且つ効率良く秤量を行うことが可能な秤量補助装置及び秤量システムを提供することを目的とする。
【課題を解決するための手段】
【０００７】
第１の発明の秤量装置は、秤量皿と、秤量皿に載置された物体の重量を測定する秤量装置本体とを備えた秤量装置に取り付けられる秤量補助装置であって、載置ユニットと、検知部と、封止部材とを備えている。載置ユニットは、薬剤容器に収容された薬剤が、それぞれ載置される複数の載置部を有し、秤量皿に配置される。検知部は、それぞれの載置部における薬剤の載置及び取り外しを検知する。格納部は、検知部が格納され、秤量補助装置を秤量装置に取り付けた状態において秤量皿を覆うように配置される。封止部材は、秤量補助装置を秤量装置に取り付けた状態において秤量皿の周囲に設けられ、格納部と秤量装置本体の間を封止する。
【０００８】
これにより、秤量補助装置を秤量装置に取り付けた状態において秤量皿を覆うように格納部を配置し、更に、封止部材を設けることによって風の流れが遮られるため、空気の流動又は空気の流れの変動が秤量皿へ与える影響を低減できる。
そのため、風防を設ける必要がなく、蓋を開け閉めしなくても良いため、効率よく秤量を行うことが出来る。更に、風防を設ける構成では、薬剤の容器が大きい場合には風防も大きくしなければならず汎用性に乏しいが、上記発明では、風防を設ける必要がないため汎用性を有する。
【０００９】
また、薬剤を操作した後、載置部に戻すだけで自動的に重量の変化の測定を行うことが出来るため、薬剤を操作するたびに薬剤容器又は注射器を載置場所から天秤上に移動して重量変化の測定を行い、再度載置場所に移動させる必要がなくなり利便性を向上させることが可能となる。
また、複数の載置部に載置された薬剤の総重量を測定するため、載置部ごとに測定部を設ける必要がなく、コストを安く抑えることが出来る。
【００１０】
第２の発明の秤量補助装置は、第１の発明の秤量補助装置であって、格納部は、貫通部を有し、載置ユニットは、支持部を有する。貫通部は、秤量補助装置を秤量装置に取り付けた状態において秤量皿に対して略垂直方向に貫通している。支持部は、秤量補助装置を秤量装置に取り付けた状態において貫通部を介して複数の載置部を秤量皿上に支持する。
これにより、高精度で効率良く秤量を行うことが可能となる。また、複数の載置部は、支持部によって貫通部を介して秤量皿上に支持されるため、格納部の上側から薬剤を載置部に載置することが出来る。
【００１１】
第３の発明の秤量補助装置は、第２の発明の秤量補助装置であって、格納部は、配置空間を有している。配置空間は、秤量補助装置を秤量装置に取り付けた状態において複数の載置部が配置される。検知部は、光センサであって、配置空間に配置された複数の載置部に向かって光を照射する。
これにより、光センサによって、複数の載置部のうちのどの載置部の薬剤が取り外されて操作されたかを判断することが出来る。
【００１２】
第４の発明の秤量補助装置は、第２の発明の秤量補助装置であって、位置決め部材を更に備えている。位置決め部材は、秤量補助装置を秤量装置に取り付けた状態において、格納部と秤量皿の間に配置され、載置ユニットの位置決めを行う。位置決め部材は、支持部と嵌合する嵌合部を有している。支持部は、秤量補助装置を秤量装置に取り付けた状態において格納部を挟んで位置決め部材の反対側から貫通部を介して嵌合部と嵌合している。
これにより、秤量皿上において載置ユニットの位置決めを行うことが出来る。また、嵌合部から位置決め部材と、載置ユニットを取り外すことによって、秤量補助装置を秤量装置に容易に着脱することが可能となる。
【００１３】
第５の発明の秤量システムは、秤量装置と、第１〜４のいずれかの発明に記載の秤量補助装置と、制御装置とを備えている。秤量装置は、秤量皿と、秤量皿に載置された物体の重量を測定する秤量装置本体とを有する。秤量補助装置は、秤量装置に取り付けられる。制御装置は、判別部と、計算部とを有する。判別部は、複数の載置部から所定の薬剤を取り外して操作した後に再び載置した際、検知部による検知結果に基づいて、取り外された薬剤を判別する。計算部は、取り外しの前後における所定の薬剤の重量変化を、秤量装置による測定結果から計算する。
【００１４】
これにより、薬剤の重量の変化が、どの薬剤に対する操作に起因するものであるかが自動で判断することが出来、作業者に対する利便性をより向上することが出来る。
【発明の効果】
【００１５】
本発明によれば、精度良く、且つ効率良く秤量を行うことが可能な秤量補助装置及びそれを用いた秤量システムを提供することが出来る。
【図面の簡単な説明】
【００１６】
【図１】本発明にかかる実施の形態１における秤量システムの構成斜視図
【図２】本発明にかかる実施の形態１における秤量装置及び秤量補助装置の分解斜視図
【図３】（ａ）本発明にかかる実施の形態１における第１載置ユニットの拡大斜視図、（ｂ）図３（ａ）に示す第１載置ユニットの正面図
【図４】本発明にかかる実施の形態１における秤量補助装置を秤量装置に取り付けた状態を上方からみた正面図
【図５】本発明にかかる実施の形態１における秤量補助装置を秤量装置に取り付けた状態を示す平面図
【図６】図５のＡＡ間の部分断面図
【図７】本発明にかかる実施の形態１における秤量補助装置を秤量装置に取り付けた状態を示す側面図
【図８】本発明にかかる実施の形態１における秤量補助装置を秤量装置に取り付けた状態を示す正面図
【図９】本発明にかかる実施の形態１における秤量補助装置を秤量装置に取り付けた状態を示す背面図
【図１０】本発明にかかる実施の形態１における秤量装置の制御ブロック図
【図１１】本発明にかかる実施の形態１における秤量装置を用いた調剤方法のフロー図
【図１２】本発明にかかる実施の形態１の秤量装置を用いた調剤方法における処方内容確認工程の表示の一例を示す図
【図１３】本発明にかかる実施の形態１における秤量装置を用いた調剤方法の薬剤取り揃え工程のフロー図
【図１４】本発明にかかる実施の形態１の秤量装置を用いた調剤方法における薬剤取り揃え工程の表示の一例を示す図
【図１５】本発明にかかる実施の形態１における秤量装置を用いた調剤方法の溶解工程のフロー図
【図１６】本発明にかかる実施の形態１の秤量装置を用いた調剤方法における溶解液注入工程の表示の一例を示す図
【図１７】本発明にかかる実施の形態１における秤量装置を用いた調剤方法の移注工程のフロー図
【図１８】本発明にかかる実施の形態１の秤量装置を用いた調剤方法における移注工程の表示の一例を示す図
【図１９】本発明にかかる実施の形態１の変形例における秤量装置及び秤量補助装置の分解斜視図
【図２０】本発明にかかる実施の形態１の変形例における秤量補助装置を秤量装置に取り付けた状態を示す斜視図
【図２１】本発明にかかる実施の形態１の変形例における秤量補助装置を秤量装置に取り付けた状態を示す部分断面図
【図２２】本発明にかかる実施の形態１の変形例における秤量補助装置を秤量装置に取り付けた状態を示す側面図
【図２３】本発明にかかる実施の形態１の変形例における秤量補助装置を秤量装置に取り付けた状態を示す正面図
【図２４】本発明にかかる実施の形態１の変形例における秤量補助装置を秤量装置に取り付けた状態を示す背面図
【図２５】本発明にかかる実施の形態１の変形例の秤量装置を用いた調剤方法の薬剤取り揃え工程のフロー図
【図２６】本発明にかかる実施の形態１の変形例の秤量装置を用いた調剤方法の溶解工程のフロー図
【図２７】本発明にかかる実施の形態１の変形例の秤量装置を用いた調剤方法の移注工程のフロー図
【発明を実施するための形態】
【００１７】
本発明にかかる実施の形態について図面を参照しながら説明する。
（実施の形態１）
本実施の形態１における秤量システムは、例えば、複数の薬剤を混合した輸液を調製する際に用いられる。
＜１．構成＞
（１−１：秤量システム全体の概要）
図１は、本発明にかかる実施の形態１における秤量システムの構成を示す図である。
【００１８】
図１に示すように、本実施の形態１にかかる秤量システムは、表示装置１と、秤量装置２と、秤量補助装置３と、制御装置４とを備えている。
表示装置１は、タッチパネル等であり、処方箋等に沿って複数の薬剤を調製する際の調製内容、作業手順、調製記録等の表示を行うと同時に、パネルからの入力により秤量装置の操作を行う。表示装置１は、タッチパネルでなく、ＬＣＤ等の表示装置とボタンやポインティングデバイスの入力機器の組み合わせであってもよい。
【００１９】
秤量装置２は、電子天秤であり、載置される物体の重量を測定する。
秤量補助装置３は、秤量装置２に着脱可能に取り付けられており、秤量作業を補助する。
制御装置４は、秤量装置２及び秤量補助装置３から送信される情報に基づいて、表示装置１に表示される調製内容及び作業手順通りに、薬剤の調製が行われているか否かの判断を行う。
【００２０】
（１−２．秤量装置２）
図２は、秤量装置２及び秤量補助装置３の分解図である。秤量装置２は例えば電子天秤であり、図２に示すように、秤量装置２は、略四角形の秤量皿２１と、秤量装置本体２２とを備えている。秤量装置本体２２は、秤量皿２１を支持し、秤量皿２１に配置された物体の重量を測定する。また、秤量装置本体２２の上面２２ａには、秤量皿２１を囲むようにリブ２３が形成されている。すなわち、リブ２３に囲まれた部分に秤量皿２１が配置される。また、秤量装置本体２２の秤量皿２１の前側に位置する傾斜部分には、電源ボタン、ゼロリセットボタン、表示パネルなどの操作部２４が設けられている。
【００２１】
（１−３．秤量補助装置３）
次に、本実施の形態の秤量補助装置３について説明する。
本実施の形態の秤量補助装置３は、秤量装置２に着脱可能に取り付けられ、作業者による秤量操作の補助を行う。秤量補助装置３は、第１薬剤載置ユニット３１（載置ユニットの一例）と、第２薬剤載置ユニット３２と、格納部３３と、位置決め部材３４と、封止部材３５とを備えている。
【００２２】
（１−３−１．第１薬剤載置ユニット３１）
図３（ａ）は、第１薬剤載置ユニット３１の拡大斜視図であり、図３（ｂ）は、第１薬剤載置ユニット３１の平面図である。
第１薬剤載置ユニット３１は、５つの薬剤載置部３６（３６ａ，３６ｂ，３６ｃ，３６ｄ，３６ｅ）と、支持部３１１を有している。
５つの薬剤載置部３６（３６ａ，３６ｂ，３６ｃ，３６ｄ，３６ｅ）には、５つの薬剤ビン５が載置される。
【００２３】
薬剤載置部３６ａ，３６ｂ，３６ｃ，３６ｄ，３６ｅは同様の形状であるため、薬剤載置部３６ａを例に挙げて説明する。図３（ｂ）に示すように、薬剤載置部３６ａは、薬剤ビン５の底面が当接される載置面３６１と、薬剤ビン５の側面が当接される後側支持部３６２を有している。載置面３６１は装置後方に向かって下方に傾斜しており、載置面３６１の後端から上方に向かって後側支持部３６２が設けられている。この後側支持部３６２には、薬剤ビン５が薬剤載置部３６ａの中央に配置されるように、左右に傾斜面３６３、３６４が形成されている。この傾斜面３６３、３６４は、横方向において薬剤載置部３６の中央に向かうに従って後方に位置するように傾斜するとともに、上下方向において上方に向かうにしたがって後方に位置するように傾斜している。
【００２４】
この傾斜面３６３、３６４の下部分には貫通孔３６３ａ、３６４ａが形成されている。この貫通孔３６３ａ、３６４ａは薬剤載置部３６から薬剤ビン５を取り外しやすくするために指先が挿入できるように形成されている。
また、５つの薬剤載置部３６の後側支持部３６２は、１枚の板状部材を折り曲げることによって形成されており、傾斜面３６３と傾斜面３６４の連結部分近傍には、上方から切り欠き部３６５が形成されている。この切り欠き部３６５は、薬剤載置部３６に載置された薬剤ビン５の有無を検出するための光が通過するために形成されている。
支持部３１１は、５つの薬剤載置部３６の下側に２つ配置されている。２つの支持部３１１は、５つの薬剤載置部３６の薬剤載置方向の両端であって載置面３６１の下側に下方に向かって突出して設けられている
【００２５】
（１−３−２．第２薬剤載置ユニット３２）
図２に示すように、第２薬剤載置ユニット３２は、棒状の支持部３２１と、支持部３２１の先端に設けられた懸吊部３２２とを有する。懸吊部３２２には、例えば、輸液パック６が引っ掛けられて吊るされる。
【００２６】
（１−３−３．格納部３３）
格納部３３は、光センサ３７（３７ａ，３７ｂ，３７ｃ，３７ｄ，３７ｅ）（後述する図６、１０）を格納し、秤量補助装置３を秤量装置２に取り付けた状態において秤量皿２１を覆うように配置される。これら光センサ３７ａ，３７ｂ，３７ｃ，３７ｄ，３７ｅとしては、本実施の形態では、反射型の赤外線センサが用いられる。
図２の分解図に示すように、格納部３３は、略直方体形状であり、第１薬剤載置ユニット３１を秤量皿２１上に配置するための配置空間３３１が形成されている。この配置空間３３１は、格納部３３の前方側であって、幅方向に長く形成されている。この配置空間３３１の底面３３１ａには、２つの前側貫通孔３３２（貫通部の一例）が設けられている。この２つの前側貫通孔３３２は、秤量補助装置３を秤量装置２に取り付けた状態において秤量皿２１に対して垂直方向に配置空間３３１の底面３３１ａを貫通するように形成されており、第１載置ユニット１の２つの支持部３１１が差し込まれる。
【００２７】
図４は、秤量補助装置３を秤量装置２に取り付けた状態を手前斜め上方から視た正面図である。
図２及び図４に示すように、配置空間３３１の前側には、薬剤指示ランプ３８ａ，３８ｂ，３８ｃ，３８ｄ，３８ｅが設けられている。これら薬剤指示ランプ３８ａ，３８ｂ，３８ｃ，３８ｄ，３８ｅは、秤量補助装置３を秤量装置２に取り付けた状態において５つの薬剤載置部３６ａ，３６ｂ，３６ｃ，３６ｄ，３６ｅのそれぞれの前側に配置される。
【００２８】
尚、それぞれの薬剤指示ランプ３８ａ，３８ｂ，３８ｃ，３８ｄ，３８ｅは、例えば、消灯状態で「薬剤なし」状態を示し、黄点滅で「薬剤セット待ち」を示し、黄点灯で「薬剤測定中」を示し、緑点灯で「薬剤あり」を示し、緑点滅で「薬剤操作待ち」を示し、「赤点滅」で「エラー」を示すように設定される。
また、図２に示すように、配置空間３３１の後方側の内側面には、検出孔３９ａ，３９ｂ，３９ｃ，３９ｄ，３９ｅが形成されている。詳しく述べると、配置空間３３１の後方側の内側面３３１ｃの上部は、下端よりも上端が後方に位置するような傾斜面３３１ｂを形成しており、その傾斜面３３１ｂに検出孔３９ａ，３９ｂ，３９ｃ，３９ｄ，３９ｅが横方向に並んで配置されている。
【００２９】
この検出孔３９ａ，３９ｂ，３９ｃ，３９ｄ，３９ｅは、秤量補助装置３を秤量装置２に取り付けた状態において５つの薬剤載置部３６ａ，３６ｂ，３６ｃ，３６ｄ，３６ｅのそれぞれの切り欠き部３６５の後側に配置される。これにより、光センサ３７ａ，３７ｂ，３７ｃ，３７ｄ，３７ｅから検出孔３９ａ，３９ｂ，３９ｃ，３９ｄ，３９ｅを介して照射された光は、それぞれの切り欠き部３６５を通過して、薬剤載置部３６ａ，３６ｂ，３６ｃ，３６ｄ，３６ｅに載置された薬剤ビン５に照射される。
また、配置空間３３１の後ろ側には、後側貫通孔３３３が設けられている。この後側貫通孔３３３は、秤量補助装置３を秤量装置２に取り付けた状態において秤量皿２１に対し
て垂直方向に後側貫通孔３３３が形成されており、第２薬剤載置ユニット３２の支持部３２１が挿入配置される。
【００３０】
（１−３−４．位置決め部材３４）
位置決め部材３４は、第１薬剤載置ユニット３１と第２薬剤載置ユニット３２を秤量皿２１上に位置決めするための部材であり、秤量皿２１に取り付けられる。すなわち、秤量補助装置３を秤量装置２に取り付けた状態において、位置決め部材３４は、秤量皿２１と格納部３３の間に配置される。
【００３１】
図２に示すように、位置決め部材３４は、秤量皿２１上に配置される平面部３４１と、４つの固定部３４２と、２つの前側嵌合部３４３と、後側嵌合部３４４とを備えている。
図５は、本実施の形態の秤量装置２及び秤量補助装置３の平面図である。図６は、図５のＡＡ間の矢示部分断面図である。
図２に示すように、４つの固定部３４２は、略四角形状の秤量皿２１の４辺のそれぞれに対応するように、平面部３４１の周囲から下方に向かって形成されている。それぞれの固定部３４２は、図２及び図６に示すように内側に向かって突出した突出部３４２ａと、その突出部３４２ａから下方に向かうに従って外側に向かって傾斜して形成された傾斜部３４２ｂが形成されている。図６に示すように、位置決め部材３４が秤量皿２１に取り付けられた状態では、秤量皿２１は、位置決め部材３４の平面部３４１と突出部３４２ａの間に嵌っている。
【００３２】
また、位置決め部材３４を秤量皿２１に取り付ける際には、傾斜部３４２ｂに秤量皿２１の周縁２１ａが当接し、固定部３４２が外側に撓みながら周縁２１ａが傾斜部３４２ｂとスライドして、秤量皿２１は、平面部３４１と突出部３４２ａの間に配置される。このように４つの固定部３４２によって秤量皿２１の周縁２１ａを挟み込むようにして、位置決め部材３４が秤量皿２１に固定されている。
２つの前側嵌合部３４３は、それぞれ平面部３４１から上方に向かって突出し、上下方向に形成された挿入穴３４３ａを有している。２つの前側貫通孔３３２に、それぞれ２つの前側嵌合部３４３が挿入され、２つの挿入穴３４３ａに２つの支持部３１１の下端が挿入されることによって、支持部３１１は前側嵌合部３４３と嵌合する。これにより、第１薬剤載置ユニット３１は、位置決め部材３４を介して秤量皿２１上で位置決めされるとともに、秤量皿２１に固定される。
【００３３】
また、後側嵌合部３４４は、平面部３４１から上方に向かって突出し、上下方向に形成された挿入穴３４４ａを有している。後側貫通孔３３３に、後側嵌合部３４４が挿入され、挿入穴３４４ａに支持部３２１の下端が挿入されることによって、支持部３２１は後側嵌合部３４４と嵌合する。これにより、第２薬剤載置ユニット３２は、位置決め部材３４を介して秤量皿２１上で位置決めされるとともに、秤量皿２１に固定される。
【００３４】
（１−３−５．封止部材３５）
封止部材３５は、弾性を有する部材（例えば、ゴム）によって形成されており、板状部材の中央部を取り除いた形状である。すなわち、中央に略四角形状の空間３５１を有し、その周囲を取り囲むように形成されている。
図７は、本実施の形態の秤量装置２に秤量補助装置３を取り付けた状態の側面図である。図８は、本実施の形態の秤量装置２に秤量補助装置３を取り付けた状態の正面図である。図９は、本実施の形態の秤量装置２に秤量補助装置３を取り付けた状態の背面図である。図６〜図９に示すように、この封止部材３５は、秤量装置２の秤量皿２１の周囲に形成されているリブ２３と全周に渡って密着できるように、リブ２３とほぼ同じ大きに形成されている。そして、略四角形状の空間３５１は、秤量皿２１よりも大きく形成されている。
【００３５】
すなわち、封止部材３５の下面３５ａがリブ２３の上端面２３ａに密着し、封止部材３５の上面３５ｂが格納部３３の下面３３ａに密着している。
このように、秤量皿２１の周囲であって秤量装置本体２２と格納部３３の間が封止部材３５によって封止されている。
【００３６】
（１−４：制御装置４）
図１０は、本実施の形態の秤量システムの制御を説明するための模式図である。
図１０に示すように、本実施の形態の秤量システムの制御装置４は、調剤手順入力部４０と、調剤手順記憶部４１と、薬剤検出部４２と、測定動作制御部４３と、測定結果記憶部４４と、計算部４５と、判定部４６とを有している。
調剤手順入力部４０は、処方箋等に沿って複数の薬剤を調製する際の調製手順の情報を入力する。調剤手順入力部４０としては、例えば、バーコードリーダ等が挙げられ、施用ラベル（バーコード）読取ることによって、調剤手順の情報が入力される。尚、このバーコードは、例えば、輸液パック６に貼り付けられてもよい。また、調剤手順入力部４０の他の例として、キーボードや、タッチパネル等が挙げられる。タッチパネルの場合には、表示装置１に設けられている。
【００３７】
調剤手順記憶部４１には、調剤手順入力部４０によって入力された調製手順が記憶される。
薬剤検出部４２は、例えば、バーコードリーダであり、薬剤ビン５ａ，５ｂ，５ｃ，５ｄ，５ｅ及び輸液パック６等に貼り付けられているバーコードの情報を読み取り、その結果を測定動作制御部４３へと出力する。この情報としては、薬剤の種類に関する情報等が含まれている。尚、この薬剤検出部４２は、調剤手順入力部４０と兼ねられていても良い。
【００３８】
測定動作制御部４３は、調製手順、光センサ３７ａ，３７ｂ，３７ｃ，３７ｄ，３７ｅによる検知結果及び秤量装置２の測定結果等に基づいて薬剤指示ランプ３８ａ，３８ｂ，３８ｃ，３８ｄ，３８ｅ及び表示装置１等の動作の制御を行う。例えば、全ての薬剤ビン５ａ，５ｂ，５ｃ，５ｄ、５ｅ及び輸液パック６が載置された状態で、秤量装置２による総重量の計測が行われ、作業者が薬剤ビン５ａから注射器などにより所定量を吸引し、再び薬剤載置部３６ａに戻してから再び秤量装置２で測定することにより、薬剤ビン５ａの吸引前後の重量が測定できる。
【００３９】
測定結果記憶部４４には、秤量装置２による測定結果が記憶される。
計算部４５は、測定結果記憶部４４に記憶されている測定結果から所定の計算を行い、計算結果を判定部４６に出力する。例えば、上記吸引前後の重量のデータから、その差を計算することにより、吸引量を計算することが出来る。
判定部４６は、計算部４５による計算結果によって調剤手順に従っているか否かの判定を行い、判定結果を測定動作制御部４３へと出力する。例えば、計算部４５によって計算された薬剤ビン５ａからの薬剤の吸引量が、調剤手順に示されている吸引量と合致しているか否かの判定が行われる。
【００４０】
尚、複数の載置部の一例は、本実施の形態の薬剤載置部３６（３６ａ〜３６ｅ）に対応し、検知部の一例は、本実施の形態の光センサ３７（３７ａ〜３７ｅ）に対応する。又、薬剤容器の一例は、本実施の形態の薬剤ビン５に対応する。
また、秤量装置を用いて抗がん剤などを無菌調製する場合は、秤量装置をバイオハザードキャビネットなどの内部に設置し、無菌環境下で薬剤の調製を行うことが望ましい。
【００４１】
（１−５．取り付け方法）
上述した秤量補助装置３を秤量装置２に取り付ける際には、はじめに、秤量装置２から秤量皿２１が取りはずされる。
次に、位置決め部材３４が、秤量皿２１に固定される。位置決め部材３４の傾斜部３４２ｂに秤量皿２１の周縁２１ａが当接し、固定部３４２が外側に撓みながら周縁２１ａが傾斜部３４２ｂとスライドして、秤量皿２１は、平面部３４１と突出部３４２ａの間に配置される。
次に、位置決め部材３４が取り付けられた秤量皿２１が秤量装置本体２２に取り付けられる。その後、封止部材３５がリブ２３の上端面２３ａ上に配置される。
【００４２】
次に、封止部材３５の上面３５ａに、格納部３３が配置される。格納部３３は、２つの前側貫通孔３３２と、後側貫通孔３３３のそれぞれの内側に２つの前側嵌合部３４３と、後側嵌合部３４４が配置されるように、封止部材３５上に配置される。
次に、支持部３１１が前側嵌合部３４３に嵌るように、格納部３３の上側から第１薬剤載置ユニット３１が配置され、支持部３２１が後側嵌合部３４４に嵌るように、格納部３３の上側から第２薬剤載置ユニット３２が配置される。
このようにして、秤量補助装置３を秤量装置２に取り付けることが出来る。
【００４３】
＜２：調剤方法＞
次に、本実施の形態１における秤量システムを用いた調剤方法について説明する。
（２−１：調剤方法概要）
図１１は、本実施の形態１における秤量システムを用いた調剤方法の概要を示すフロー図である。
【００４４】
施用読取工程Ｓ１において、調剤手順入力部４０を用いて施用ラベルの読取が行われる。この読取によって、調剤手順が読み込まれ、調剤手順記憶部４１に記憶される。
次に、処方内容確認工程Ｓ２において測定動作制御部４３は、調剤手順記憶部４１から読み出した処方内容を表示装置１に表示する。
次に、薬剤取り揃え工程Ｓ３において、施用に必要な薬剤が、秤量装置２の第１薬剤載置ユニット３１及び第２薬剤載置ユニット３２に取り揃えられる。
【００４５】
次に、溶解液注入工程Ｓ４において、粉末状の薬剤が薬剤ビン５に入っている場合には、生理食塩水等の溶解液が注入される。
最後に、移注工程Ｓ５において、薬剤ビン５から輸液パック６への移注が行われる。
以下に、各工程について詳細に説明を行う。
尚、本実施の形態では、薬剤としてエンドキサンを例に挙げて説明するが、エンドキサンのような抗がん剤を調整する場合等には、秤量装置２及び秤量補助装置３はクリーンベンチ内で使用される。
【００４６】
（２−２：処方内容確認工程）
処方内容確認工程Ｓ２では、作業者に確認させるために表示装置１に処方内容の表示が行われる。例えば、「薬剤ビン５ａに生理食塩水をＸｍｌ注入、薬剤ビン５ｂに生理食塩水をＹｍｌ注入・・・し、攪拌後、薬剤ビン５ａからＺｍｌ吸引、薬剤ビン５ｂからＶｍｌ吸引、薬剤ビン５ｃからＷｍｌ吸引・・・し、輸液パック６にαｍｌを希釈する」等といった処方内容（薬剤の調製内容）が表示される。
【００４７】
図１２は、表示装置１に表示される処方内容確認工程の表示の一例である。図１２に示すように、施用バーコード表示欄１００に、施用を識別するための識別番号等が記載される。属性情報表示欄１０１には、患者の個人情報（姓名、性別、ＩＤ番号、生年月日、年齢、身長、体重、体表面積）等の情報が記載される。工程進捗ナビゲーション欄１０２には、上述した処方内容確認工程Ｓ２、薬剤取り揃え工程Ｓ３、溶解液注入工程Ｓ４、及び移注工程Ｓ５のうち、現在どの工程を行っているかといった進捗情報が表示される、現在の工程が囲み線１０２ａによって囲まれることによって、進捗状況が表示される。現在は、処方内容確認工程であるため、その工程が囲み線１０２ａによって囲まれる。
【００４８】
又、工程進捗ナビゲーション欄１０２の下側には、各工程の詳細情報が表示されている。各工程の詳細情報としては、処方内容タブ１０３、薬剤取り揃えタブ１０４、溶解液注入タブ１０５、移注タブ１０６が設けられており、各タブには、それぞれの工程の詳細情報が表示されている。現在は、処方内容確認工程であるため、処方内容タブ１０３が開かれ、処方内容が表示されている。処方内容としては、例えば、『[エンドキサン  ５００ｍｇ／瓶]に対しては、１瓶に対して溶解液[生理食塩水]を[１０ｍｌ／瓶]注入して溶解し、[エンドキサン  １００ｍｇ／瓶]に対しては、３瓶用意し、１瓶に対して溶解液[生理食塩水]を[５ｍｌ／瓶]注入して溶解する。そして、[エンドキサン  ５００ｍｇ／瓶]から１０ｍｌ、２本の[エンドキサン  １００ｍｇ／瓶]から５ｍｌ、残り１本の[エンドキサン  １００ｍｇ／瓶]から３ｍｌを、大塚生食２００ｍｌ／袋に希釈すること』といった処方内容が表示される。
作業者が、例えば、工程進捗ナビゲーション欄１０２の『処方内容確認』部分を押すことによって、確認済みとされ、表示内容が次の薬剤取り揃え工程Ｓ３へと移行する。
【００４９】
（２−３：薬剤取り揃え工程）
図１３は、薬剤取り揃え工程Ｓ３の動作を示すフロー図である。
処方内容の確認が行われると、Ｓ１１において測定動作制御部４３は、調剤手順記憶部４１に記憶されている調剤手順に基づいて、薬品取り揃え表示を表示装置１に表示させる。この薬品取り揃え表示には、取り揃える薬剤の種類及び薬剤の載置場所が表示される。例えば、薬剤ビン５ａ，５ｂ，５ｃ，５ｄ，５ｅ及び輸液パック６を取り揃え、それぞれの載置場所が薬剤載置部３６ａ，３６ｂ，３６ｃ，３６ｄ，３６ｅ及び懸吊部３２２であることが表示される。図１４は、表示装置１に表示される薬剤取り揃え工程の表示の一例である。図１４に示すように、現在は薬剤取り揃え工程であるため、囲み線１０２ａによって工程進捗ナビゲーション欄１０２の「薬剤取り揃え」部分が囲まれる。そして、薬剤取り揃えタブ１０４が表示される。例えば、『懸吊部３２２には、[大塚生食２００  ２００ｍｌ／袋]を載置し、薬剤載置部５ａには、[エンドキサン  ５００ｍｇ／瓶]を載置し、薬剤載置部３６ｂ，３６ｃ，３６ｄには、[エンドキサン  １００ｍｇ／瓶]を載置する』旨の指示が表示される。尚、図では、薬剤載置部３６ａ，３６ｂ，３６ｃ，３６ｄ，３６ｅを載置部３６ａ，３６ｂ，３６ｃ，３６ｄ，３６ｅと省略して表示している。
【００５０】
次に、作業者が表示されている薬剤を用意し薬剤ビン５の表面のラベル（バーコード）を薬剤検出部４２によって読取らせると、Ｓ１２において読取り結果が測定動作制御部４３へと送られる。
次に、Ｓ１３において測定動作制御部４３は、調剤手順記憶部４１に記憶されている調剤手順と薬剤検出部４２による読取り結果から、薬剤検出部４２によって読取られた薬剤の種類が、取り揃える予定の薬剤の種類か否かの判定を行う。例えば、薬剤ビン５ａの表面に貼り付けられているラベル（バーコード）を薬剤検出部４２によって読取らせると、測定動作制御部４３は、バーコードが読取られた薬剤ビンが取り揃える予定の薬剤ビン５ａ、５ｂ、５ｃ、５ｄ、５ｅのいずれかであるか判定を行う。
【００５１】
薬剤検出部４２によって読取られた薬剤の種類が、取り揃える予定の薬剤の種類と一致していない場合には、誤操作であるため再度適切な薬剤を用意する旨の表示（Ｓ１４）が表示装置１で行われ、正しい薬剤ビン５のラベルのバーコード読取り操作が作業者によって行われる。尚、作業者に示すために、薬剤指示ランプ３８ａ〜３８ｅの全てあるいは何れかをエラー（赤点滅）状態にするといった制御が行われてもよい。
一方、Ｓ１３において読取られた薬剤が、取り揃える予定の薬剤に含まれている場合、Ｓ１５において測定動作制御部４３は、その薬剤ビン５を載置する薬剤載置部３６に対応する薬剤指示ランプ３８を薬品セット待ち（黄点灯）状態にする。例えば、[エンドキサン  ５００ｍｇ／瓶]が読取られると、測定動作制御部４３によって薬剤載置部３６ａに対応する薬剤指示ランプ３８ａが黄点灯される。尚、薬剤取り揃えタブ１０４の表示内容のうち、現在載置指示を行っている薬剤の欄の色を変更したり、点滅させるような制御が行われてもよい。
【００５２】
続いて、薬剤指示ランプ３８に従って、作業者が対応する薬剤載置部３６に薬剤ビン５を載置すると、Ｓ１６において光センサ３７の反射光の変化によって薬剤ビン５が載置されたことが検知される。
薬剤指示ランプ３８によって薬剤ビン５の載置が検知されると、Ｓ１７において測定動作制御部４３は、薬剤ビン５を指示した薬剤載置部３６に載置したか否かを判定する。指示した薬剤載置部３６に載置されていない場合、誤操作であるため再度適切な薬剤載置部３６に薬剤ビン５を載置する旨の表示（Ｓ１８）が表示装置１で行われるとともに、誤って載置した位置の薬剤指示ランプ３８がエラー状態（赤点滅）にされる。例えば、薬剤ビン５ａが薬剤載置部３６ｃに載置された場合、光センサ３８ｃによって検知されるため、測定動作制御部４３は薬剤ビン５ａが薬剤載置部３６ｃに載置されたと判定し、載置場所が間違えている旨の誤操作の表示が行われ、薬剤指示ランプ３８ｃが赤点滅状態となる。そして、作業者が薬剤ビン５ａを薬剤載置部３６ａに載置すると、再びＳ１７において薬剤載置部３６の判定が行われ、今回は正しい薬剤載置部３６に載置しているため、次のステップＳ１９に進む。
【００５３】
Ｓ１７において、薬剤の配置が適正であると判断された場合、Ｓ１９において測定動作制御部４３は、薬剤が載置された薬剤載置部３６に対応する薬剤指示ランプ３８を薬剤あり（緑点灯）状態に制御する。尚、薬剤取り揃えタブ１０４の表示内容のうち、薬剤が載置された薬剤載置部３６に対応する薬剤の欄の色を変更するような制御が行われてもよい。
そして、Ｓ２０において、測定動作制御部４３が、取り揃える予定の薬剤が全て載置されているか否かの判定をする。全て載置されていない場合には、次の薬剤ビン５のバーコードが読取られるまで待機し、バーコード読取りが行われると、次の薬剤に対してＳ１２〜Ｓ２０が実行される。
【００５４】
以上の動作により、予定の薬剤（薬剤ビン５ａ，５ｂ，５ｃ，５ｄ，５ｅ）を全て取り揃えると、測定動作制御部４３はＳ２１において秤量装置２によって薬剤載置部３６ａ，３６ｂ，３６ｃ，３６ｄ，３６ｅ上に載置された薬剤及び懸吊部３２２に吊るされた薬剤の総重量の測定を行い、測定結果が測定結果記憶部４４に記憶される。同時に、工程進捗ナビゲーション欄１０２の「薬剤取り揃え」部分の状態表示を「済み」に変更する。
尚、上記では薬剤ビン５の説明のみ行ったが、Ｓ１２において輸液パック６のラベル（バーコード）を薬剤検出部４２によって読み込ませた場合、Ｓ１５において輸液指示ランプ３８の全てが輸液セット待ち（黄色灯）状態となる。そして、輸液パック６を懸吊部３２２に載置すると、測定動作制御部４３は、秤量装置２の計測値の変化によってＳ１６において輸液パック６が懸吊部３２２に吊るされたことを検出する。尚、秤量装置２の計測値の変化を用いず、作業者がボタンを押す等することによって測定動作制御部４３に、懸吊部３２２に輸液パック６が吊るされたことを指示してもよい。又、輸液パック６用に薬剤指示ランプを更に配置してもよい。
【００５５】
以上のようにして、例えば、図１０に示すように薬剤ビン５ａ，５ｂ，５ｃ，５ｄ，５ｅ及び輸液パック６の全てを所定の薬剤載置部３６ａ，３６ｂ，３６ｃ，３６ｄ，３６ｅに載置し、懸吊部３２２に吊るすと、薬剤取り揃え工程は終了する。尚、図１４に示す例の場合は、薬剤載置部３６ｅには何も載置されないことになる。
又、本実施の形態の薬剤取り揃え工程では、薬剤ビン５と輸液パック６を区別して取り扱っていないが、薬剤ビン５の載置が全て終了した後に、輸液パック６を載置する工程を行うようにしても良い。
【００５６】
（２−４：溶解液注入工程）
図１５は、溶解液注入工程Ｓ４の動作を示すフロー図である。
溶解液注入工程Ｓ４の概略としては、粉末状の薬剤の場合に、その薬剤ビン５に注射器を用いて所定量の溶解液を注入し、薬剤を溶解するものである。
尚、以下の説明では、溶解液として生理食塩水を用いる場合について説明するが、これに限られるものではない。生理食塩水を溶解液として用いる場合、輸液パック６から吸引する場合もあるが、本実施の形態では、輸液パック６以外、すなわち秤量装置２上に載置されている薬剤以外を溶解液として用いるとして説明する。
【００５７】
上記薬剤取り揃え工程が終了すると、Ｓ３１において溶解液注入表示が表示装置１によって行われる。これは、粉末状の薬剤に対して行われる。例えば、薬剤ビン５ａの薬剤が粉末である場合には、「薬剤ビン５ａに生理食塩水をＸｍｇ注入、薬剤ビン５ｂに生理食塩水をＹｍｇ注入・・・」との表示が行われる。尚、液体状の薬剤が入っている薬剤ビン５については、上記表示に記載されない。
図１６は、表示装置１に表示される溶解液注入工程の表示の一例を示す図である。現在は、溶解液注入工程であるため、囲み線１０２ａによって工程進捗ナビゲーション欄１０２の「溶解液注入」部分が囲まれる。そして、溶解液注入タブ１０５が表示される。例えば、『[エンドキサン  ５００ｍｇ／瓶]には、１瓶に対して溶解液[生理食塩水]を[１０ｍｌ／瓶]注入して溶解し、[エンドキサン  １００ｍｇ／瓶]には、１瓶に対して溶解液[生理食塩水]を[５ｍｌ／瓶]注入して溶解する。』といった内容が表示される。
【００５８】
次に、Ｓ３２において、測定動作制御部４３は、調剤手順記憶部４１に記憶されている調剤手順に沿って、所定の薬剤指示ランプ３８を薬剤操作待ち（例えば緑点滅）状態にする。例えば、薬剤指示ランプ３８ａを緑点滅表示させることによって、 [エンドキサン  ５００ｍｇ／瓶]への生理食塩水の注入の操作を促す。尚、溶解液注入タブ１０５の表示内容のうち、現在溶解液注入指示を行っている薬剤の欄の色を変更したり、点滅させるような制御が行われてもよい。
【００５９】
続いて、作業者が薬剤ビン５を薬剤載置部３６から取り外すことにより、Ｓ３３において光センサ３７によって薬剤ビン５が取り外されたことが検知され、その検知結果が測定動作制御部４３へと送られる。
すると、Ｓ３４において薬剤指示ランプ３８が薬剤操作待ち（緑点滅）状態になっている薬剤載置部３６から薬剤ビン５が取り外されたか否かの判定が行われる。
【００６０】
薬剤ビン５が薬剤操作待ち状態以外の薬剤載置部３６から取り外された場合、誤操作であるためＳ４２において取り外した薬剤ビン５を元の薬剤載置部３６に戻す旨の表示と再度適切な薬剤載置部３６から薬剤ビン５を取り外す旨の表示が表示装置１で行われるとともに、誤って載置した位置の薬剤指示ランプ３８がエラー状態（赤点滅）にされる。尚、音を出すなどしても良い。例えば、薬剤指示ランプ３８ａが薬剤操作待ち（緑点滅）である状態において、薬剤ビン５ｃが薬剤載置部３６ｃから取り外された場合、光センサ３７ｃによる検出が変化するため、測定動作制御部４３は薬剤ビン５ｃが薬剤載置部３６ｃから取り外されたと判定し、取り外し場所が間違えている旨の誤操作の表示と薬剤ビン５ｃを元の薬剤載置部３６ｃに載置する旨の表示と薬剤ビン５ａを薬剤載置部３６ａから取り外す旨の表示が行われ、薬剤指示ランプ３８ｃが赤点滅状態となる。そして、作業者が薬剤ビン５ｃを元の薬剤載置部３６ｃに戻し薬剤ビン５ａを薬剤載置部３６ａから取り外すと、再びＳ３４において薬剤載置部３６の判定が行われ、今回は正しい薬剤載置部３６から取り外しているため、次のステップＳ３５に進む。
【００６１】
一方、薬剤操作待ち状態の薬剤載置部３６から薬剤ビン５が取り外された場合、誤操作表示、警告等が発せられず、作業者は、取り外した薬剤ビン５に溶解液を注入する。溶解液を注入して薬剤と溶解液を攪拌混合した後、薬剤載置部３６に薬剤ビン５を載置すると、光センサ３７が薬剤ビン５の載置を検出する（Ｓ３５）。
すると、Ｓ３６において薬剤指示ランプ３８が薬剤操作待ち状態の薬剤載置部３６に薬剤ビン５が載置されたか否かの判定が行われる。
【００６２】
薬剤ビン５が薬剤操作待ち状態以外の薬剤載置部３６に載置された場合、誤操作であるためＳ４３において再度適切な薬剤載置部３６に薬剤ビン５を載置する旨の表示が表示装置１で行われるとともに、誤って載置した位置の薬剤指示ランプ３８がエラー状態（赤点滅）にされる。尚、音を出すなどしても良い。例えば、薬剤指示ランプ３８ａが薬剤操作待ち（緑点滅）である状態において、薬剤ビン５ａが薬剤載置部３６ｃに載置された場合、光センサ３７ｃによる検知が行われるため、測定動作制御部４３は薬剤ビン５ａが薬剤載置部３６ｃに載置されたと判定し、載置場所が間違えている旨の誤操作の表示と薬剤ビン５ａを薬剤載置部３６ａに載置する旨の表示が行われ、薬剤指示ランプ３８ｃが赤点滅状態となる。そして、作業者が薬剤ビン５ａを薬剤載置部３６ａに載置すると、再びＳ３６において薬剤載置部３６の判定が行われ、今回は正しい薬剤載置部３６に載置しているため、次のステップＳ３７に進む。
【００６３】
一方、薬剤操作待ち状態の薬剤載置部３６に薬剤ビン５が載置された場合、誤操作表示、警告等が発せられず、Ｓ３７において測定動作制御部４３は、溶解液注入を行った薬剤ビン５の薬剤指示ランプ３８を薬剤測定中状態（黄点灯）にし、秤量装置２による測定が行われる。そして、薬剤載置部３６ａ，３６ｂ，３６ｃ，３６ｄ，３６ｅ上に載置された薬剤及び懸吊部３２２に吊るされた薬剤の総重量の測定が行われ、測定結果が測定結果記憶部４４に記憶される。尚、電子天秤は測定値が安定するまで時間がかかる場合があるため、その間、薬剤指示ランプ３８は薬剤測定中状態（黄点灯）に制御される。
【００６４】
次に、Ｓ３８において計算部４５が、光センサ３７によって薬剤ビン５が取外される前と載置された後の総重量の差を計算する。すなわち薬剤ビン５に生理食塩水を注入する前と注入した後の総重量の差を計算する。この計算によって注入された生理食塩水の重量が計算される。同時に、注入された溶解液の重量を溶解液注入タブ１０５に表示するような制御が行われてもよい。あるいは注入された溶解液の重量と溶解液の比重から、注入された溶解液の容量を計算して溶解液注入タブ１０５に表示するような制御が行われても良い。
【００６５】
続いて、Ｓ３９において判定部４６が、調剤手順に従った量分変化したか否かを判定する。すなわち、どの光センサ３７によって薬剤ビン５の取り外し又は載置が検出されたかによって、どの薬剤ビン５にいくらの量の生理食塩水が注入されたか否かが検出されるため、判定部４６は薬剤の調製に関する手順通りに調製されているか否かを判定することが出来る。具体的には、Ｓ３８において算出された変化量が、調剤手順で予定されている変化量の誤差範囲であると判定された場合には、制御処理はＳ４０へと進む。例えば図１６に示すように、生理食塩水を１０ｍｌ注入する操作では、正常に操作を行った場合には重量が約１０ｇ増加することになる。尚、制御処理がＳ４０へと進む場合、溶解液注入タブ１０５の表示内容のうち、溶解液が注入された薬剤の欄の色を変更するような制御が行われてもよい。
【００６６】
そして、Ｓ４０において溶解液の注入が必要な全ての薬剤ビン５に溶解液の注入が完了したか否かの判定が行われる。そして、他にも溶解液を注入する必要がある薬剤ビン５が存在する場合には、制御処理がＳ３２に戻り、次に操作を行う薬剤ビン５が載置されている薬剤載置部３６に対応する薬剤指示ランプ３８が薬品操作待ち状態（緑点滅）となる。尚、タイマー等を設けて、薬剤指示ランプ３８が薬剤操作指示待ち状態となってから所定時間以上、対応する光センサ３７による薬剤ビン５の取り外しが検出されない場合には、異常終了するように制御が行われてもよい。
【００６７】
一方、Ｓ３９において、変化量が誤差範囲でないと判定された場合には、異常終了する（Ｓ４１）。このとき誤操作である旨の表示を行ってもよい。
又、Ｓ４０において溶解液注入が必要な全ての薬剤ビン５に溶解液の注入が完了したと判定された場合には、溶解液注入工程が完了する。同時に、工程進捗ナビゲーション欄１０２の「溶解液注入」部分の状態表示を「済み」に変更する。
尚、Ｓ４１において、異常終了した場合、該当する薬剤ビン５への操作のみをやり直す等の表示を行ってもよい。
【００６８】
（２−５：移注工程）
移注工程Ｓ５の概略としては、１つあるいは複数の注射器を用いて、１つあるいは複数の薬剤ビン５から順次、所定量の薬剤を注射器内に吸引した後、注射器内の薬剤を輸液パック６に注入する。
図１７は、移注工程Ｓ５の動作を示すフロー図である。上記溶解液注入工程Ｓ４が終了すると、または薬剤ビン５全てが液体状の薬剤で溶解液注入工程Ｓ４の実施が必要ない場合は上記薬剤取り揃え工程Ｓ３が終了すると、Ｓ５１において、表示装置１に移注工程の手順が表示される。
【００６９】
移注工程の手順としては、例えば、「薬剤ビン５ａからＺｍｌ吸引、薬剤ビン５ｂからＶｍｌ吸引、薬剤ビン５ｃからＷｍｌ吸引・・・、輸液パック６にαｍｌを希釈する」旨を示す表示が行われる。
図１８は、表示装置１に表示される移注工程の表示の一例を示す図である。現在は、移注工程であるため、囲み線１０２ａによって工程進捗ナビゲーション欄１０２の「移注」部分が囲まれる。そして、移注タブ１０６が表示される。例えば、『[エンドキサン  ５００ｍｇ／瓶]からは１０ｍｌ吸引し、２本の [エンドキサン  １００ｍｇ／瓶]からは５ｍｌ吸引し、残り１本の[エンドキサン  １００ｍｇ／瓶]からは３ｍｌ吸引し、[大塚生食２００ｍｌ／袋]に希釈する。』といった内容が表示される。
【００７０】
その後、Ｓ５２において測定動作制御部４３は、はじめに吸引作業を行う薬剤ビン５が載置されている薬剤載置部３６に対応する薬剤指示ランプ３８を薬剤操作待ち状態（緑点滅）にする。
続いて、作業者が薬剤ビン５を薬剤載置部３６から取り外すことにより、Ｓ５３において光センサ３７によって薬剤ビン５の取り外しが検知され、その検知結果が測定動作制御部４３へと送られる。
【００７１】
すると、Ｓ５４において薬剤指示ランプ３８が薬剤操作待ち状態「緑点滅」になっている薬剤載置部３６から薬剤ビン５が取り外されたか否かの判定が行われる。
薬剤ビン５が薬剤操作待ち状態以外の薬剤載置部３６から取り外された場合、Ｓ７１において測定動作制御部４３は表示装置１に誤操作である旨の表示と吸引操作を停止する旨の表示と取り外した薬剤ビン５を元の薬剤載置部３６に戻す旨の表示と再度適切な薬剤載置部３６から薬剤ビン５を取り外す旨の表示とを行い、薬剤指示ランプ３８をエラー状態（赤点滅）とし、必要がある場合には音を出して、作業者が吸引操作を行うのを停止させる。例えば、薬剤指示ランプ３８ａが薬剤操作待ち（緑点滅）である状態において、薬剤ビン５ｃが薬剤載置部３６ｃから取り外された場合、光センサ３７ｃによって薬剤ビン５ｃの取り外しが検知されるため、測定動作制御部４３は薬剤ビン５ｃが薬剤載置部３６ｃから取り外されたと判定し、取り外し場所が間違えている旨の誤操作の表示と吸引操作を停止する旨の表示と薬剤ビン５ｃを元の薬剤載置部３６ｃに載置する旨の表示と薬剤ビン５ａを薬剤載置部３６ａから取り外す旨の表示が行われ、薬剤指示ランプ３８ｃが赤点滅状態となる。そして、作業者が薬剤ビン５ｃを元の薬剤載置部３６ｃに戻し薬剤ビン５ａを薬剤載置部３６ａから取り外すと、再びＳ５４において薬剤載置部３６の判定が行われ、今回は正しい薬剤載置部３６から取り外しているため、次のステップＳ５５に進む。
【００７２】
一方、薬剤操作待ち状態の薬剤載置部３６から薬剤ビン５が取り外された場合、誤操作表示、警告等が発せられず、作業者は、取り外した薬剤ビン５から表示装置１に表示されている所定量を注射器によって吸引する。所定量の薬剤が吸引された薬剤ビン５を再び載置すると、Ｓ５５において光センサ３７によって薬剤ビン５の載置が検出され、その検知結果が測定動作制御部４３へと送られる。尚、移注タブ１０６の表示内容のうち、現在吸引指示を行っている薬剤の欄の色を変更したり、点滅させるような制御が行われてもよい。
【００７３】
すると、Ｓ５６において薬剤指示ランプ３８が薬剤操作待ち状態の薬剤載置部３６に薬剤ビン５が載置されたか否かの判定が行われる。
薬剤ビン５が薬剤操作待ち状態以外の薬剤載置部３６に載置された場合、誤操作であるためＳ７２において再度適切な薬剤載置部３６に薬剤ビン５を載置する旨の表示が表示装置１で行われるとともに、誤って載置した位置の薬剤指示ランプ３８がエラー状態（赤点滅）にされる。尚、音を出すなどしても良い。例えば、薬剤ビン５ａが薬剤載置部３６ｃに載置された場合、光センサ３４ｃによる検知が行われるため、測定動作制御部４３は薬剤ビン５ａが薬剤載置部３６ｃに載置されたと判定し、載置場所が間違えている旨の誤操作の表示と薬剤ビン５ａを薬剤載置部３６ａに載置する旨の表示が行われ、薬剤指示ランプ３８ｃが赤点滅状態となる。そして、作業者が薬剤ビン５ａを薬剤載置部３６ａに載置すると、再びＳ５６において薬剤載置部３６の判定が行われ、今回は正しい薬剤載置部３６に載置しているため、次のステップＳ５７に進む。
【００７４】
一方、薬剤操作待ち状態の薬剤載置部３６に薬剤ビン５が載置された場合、誤操作表示、警告等が発せられず、Ｓ５７において測定動作制御部４３は、所定量の吸引を行った薬剤ビン５の薬剤指示ランプ３８を薬品測定中状態（黄点灯）にし、秤量装置２による測定が行われる。そして、薬剤載置部３６ａ、３６ｂ，３６ｃ，３６ｄ，３６ｅ上に載置された薬剤及び懸吊部３２２に吊るされた薬剤の総重量の測定が行われ、測定結果が測定結果記憶部４４に記憶される。
【００７５】
次に、Ｓ５８において計算部４５が、光センサ３７による薬剤ビン５の取り外し前と載置後の総重量の差を計算する。すなわち薬剤ビン５から薬剤を吸引する前と吸引した後の総重量の差を計算する。この計算によって吸引された薬剤の重量が計算される。同時に、吸引された薬剤の重量を移注タブ１０６に表示するような制御が行われてもよい。あるいは吸引された薬剤の重量と薬剤の比重から、吸引された薬剤の容量を計算して移注タブ１０６に表示するような制御が行われても良い。尚、吸引前の重量は、Ｓ３７で測定し測定結果記憶部４４に記憶された測定値が用いられる。
【００７６】
続いて、Ｓ５９において判定部４６が調剤手順に従った量分変化（減少）したか否かを判定する。変化量が誤差範囲であると判定された場合には、制御処理はＳ６０へと進む。尚、制御処理がＳ６０へと進む場合、移注タブ１０６の表示内容のうち、薬液が吸引された薬剤の欄の色を変更するような制御が行われてもよい。そして、Ｓ６０において、全ての薬剤ビン５から吸引が完了したか否かの判定が行われる。そして、他にも吸引する必要がある薬剤ビン５が存在する場合には、制御処理がＳ５２に戻り、次に操作を行う薬剤ビン５が載置されている薬剤載置部３６に対応する薬剤指示ランプ３８が薬品操作待ち状態（緑点滅）となる。
【００７７】
一方、Ｓ５９において、変化量が予め定められた変化量の誤差範囲でないと判定された場合には、誤操作表示とともに異常終了する（Ｓ６１）。Ｓ６１において異常終了した場合、表示装置１に該当する薬剤ビン５への操作のみをやり直す等の表示を行ってもよい。
又、Ｓ６０において吸引必要な全ての薬剤ビン５からの吸引が完了したと判定された場合には、制御処理がＳ６２へと移行する。
Ｓ６２において、測定動作制御部４３は輸液パック６に対する操作指示を行うために、例えば、全ての薬剤指示ランプ３８ａ〜３８ｅを薬剤操作待ち（緑点滅）状態に制御する。そして、作業者が輸液パック６に注射器内の全ての薬剤を輸液パック６に注入・希釈する。
【００７８】
次に、Ｓ６３において秤量装置２による測定値が安定すると、秤量装置２による測定が行われ、測定結果が測定結果記憶部４４に記憶される。
次に、Ｓ６４において、最後の薬剤ビン５からの薬剤の吸引後にＳ５８で測定結果記憶部４４に記憶された重量（注入前）と、Ｓ６３で測定結果記憶部４４に記憶された輸液パック６の重量（注入後）との差を計算部４５が計算する。この計算によって注入された薬剤の重量が計算される。同時に、注入された薬剤の重量を移注タブ１０６に表示するような制御が行われてもよい。あるいは注入された薬剤の重量と薬剤の比重から、注入された薬剤の容量を計算して移注タブ１０６に表示するような制御が行われても良い。あるいは注入された薬剤の濃度から注入された薬剤の量を計算して移注タブ１０６に表示するような制御が行われても良い。
【００７９】
続いて、Ｓ６５において判定部４６が調剤手順に従った量分変化（増加）したか否かを判定する。計算された変化量が予め決められた変化量の誤差範囲であると判定された場合には、移注工程が終了する。同時に、工程進捗ナビゲーション欄１０２の「移注」部分の状態表示を「済み」に変更する。
一方、Ｓ６５において判定部４６が調製手順に従った量分変化していないと判断された場合には、異常終了（Ｓ６６）する。Ｓ６６において異常終了した場合、薬剤量を修正する手順等の表示を行ってもよい。
【００８０】
以上のように移注工程が完了し、患者の施用に従った薬剤の調製が完了する。
本実施の形態の秤量補助装置３では、封止部材３５を設けることによって秤量装置本体２２と格納部３３の間を封止することによって、上方から下方に抜ける空気の流れが遮られる。
このように封止部材３５により空気の動きを遮ることが出来るため、例えば、測定の最初にゼロリセットを行う際に測定値が安定するまでの時間を短縮することが出来る。例えば、封止部材３５が存在しない場合には、封止部材３５を取り除いた状態の秤量装置２及び秤量補助装置３をクリーンベンチ内に配置すると、ダウンフローによって測定値が０．３６ｍｇまで変化する。一方、封止部材３５を装着した状態で秤量装置２及び秤量補助装置３をクリーンベンチ内に配置すると、ダウンフローによる測定値の変化は０．０７ｍｇとなり、変化量が小さくなる。このため、測定値が安定するまでの時間が短くなり、ゼロリセットをするまでの時間を短縮することが出来る。
【００８１】
また、封止部材３５により空気の動きを遮ることが出来るため、Ｓ２１、Ｓ３７、Ｓ５７、Ｓ６３での秤量時においても秤量装置の測定値が安定するまでの時間を短縮することが出来る。これらの効果はクリーンベンチ内に限られるものではなく、クーラーの風、人の動きによる空気の動きによる測定値への影響を低減できる。尚、クリーンベンチ内ではダウンフローが行われているため、より顕著に効果が発揮される。
また、クーラーによる風や、クリーンベンチ内におけるダウンフローが秤量装置２に当っている状態において、例えば秤量装置２の上方を手が横切ったこと等による外乱によって空気の流れが乱され、測定値が影響を受けるが、封止部材３５を設けることにより外乱の影響を低減することが出来る。
【００８２】
また、上記計測結果を記録することにより、薬剤の調製のエビデンスとして使用することも出来る。
また、薬剤を操作した後、元の薬剤載置部３６に戻すだけで自動的に重量の変化の測定を行うことが出来るため、薬剤を操作するたびに薬剤ビン又は注射器を載置場所から天秤上に移動して重量変化の測定を行い、再度元の載置場所に移動させる必要がなくなり利便性を向上させることが可能となる。そして、計算部４５により計算された結果を用いて、作業者又は別の確認者が操作の正確性の確認を行うこと出来る。
【００８３】
＜３．主な特徴＞
以上のように、本実施の形態の秤量補助装置３は、秤量皿２１と、秤量皿２１に載置された物体の重量を測定する秤量装置本体２２とを備えた秤量装置２に取り付けられる秤量補助装置３であって、第１薬剤載置ユニット３１（載置ユニットの一例）と、光センサ３７（検出部の一例）と、格納部３３と、封止部材３５とを備える。第１薬剤載置ユニット３１は、薬剤ビン５に収容された薬剤が、それぞれが載置される複数の薬剤載置部３６を有し、秤量皿２１上に配置される。光センサ３７は、それぞれの薬剤載置部３６における薬剤の載置及び取り外しを検知する。格納部３３は、光センサ３７が格納され、秤量補助装置３を秤量装置２に取り付けた状態において秤量皿２１を覆うように配置される。封止部材３５は、秤量補助装置３を秤量装置２に取り付けた状態において秤量皿２１の周囲に設けられ、秤量装置本体２２と格納部３３の間を封止する。
【００８４】
これにより、秤量補助装置３を秤量装置２に取り付けた状態において秤量皿２１を覆うように格納部を配置し、更に、封止部材３５を設けることによって風の流れが遮られるため、空気の流動又は空気の流れの変動が秤量皿２１へ与える影響を低減できる。
そのため、風防を設ける必要がなく、蓋を開け閉めしなくても良いため、効率よく秤量を行うことが出来る。更に、風防が設ける構成では、薬剤の容器が大きい場合には風防も大きくしなければならず汎用性に乏しいが、上記発明では、風防を設ける必要がないため汎用性を有する。
【００８５】
また、薬剤を操作した後、薬剤ビン５を薬剤載置部３６に戻すだけで自動的に重量の変化の測定を行うことが出来るため、薬剤を操作するたびに薬剤ビン又は注射器を載置場所から天秤上に移動して重量変化の測定を行い、再度載置場所に移動させる必要がなくなり利便性を向上させることが可能となる。
また、複数の薬剤載置部３６に載置された薬剤の総重量を測定するため、薬剤載置部３６ごとに測定部を設ける必要がなく、コストを安く抑えることが出来る。
【００８６】
＜４．他の実施形態＞
以上、本発明の一実施形態について説明したが、本発明は上記実施形態に限定されるものではなく、発明の要旨を逸脱しない範囲で種々の変更が可能である。
（Ａ）
上記実施の形態では、秤量皿２１の周囲にリブ２３が形成されており、リブ２３の上端面２３ａに封止部材３５の下面３５ａが密着していたが、リブ２３が設けられておらず、封止部材３５が秤量装置の本体の上面２２ａに密着していてもよい。
【００８７】
図１９は、リブ２３が設けられていない秤量装置２´と、上記実施の形態とは封止部材３５の形状が異なる封止部材３５´を有する秤量補助装置３´の分解斜視図である。図２０は、秤量補助装置３´を秤量装置２´に取り付けた状態を示す斜視図である。又、図２１、図２２、図２３、及び図２４は、秤量補助装置３´を秤量装置２´に取り付けた状態を示す部分断面図、側面図、正面図及び背面図である。図１９〜図２４に示すように、秤量補助装置３´の封止部材３５´の上面３５ｂ´が格納部３３の下面３３ａに密着し、封止部材３５´の下面３５ａ´が秤量装置本体２２の上面２２ａに密着している。
【００８８】
このように、秤量皿２１の周囲にリブ２３が設けられていない構成の秤量装置２´においても同様に、本発明の封止部材を用いて、測定精度の向上を図ることが出来る。
尚、図１９に示すように前側の下部に凹部３５ｃ´が形成されているが、これは、上面２２ａとの密着性を良くするために、上面２２ａの表面形状に合わせるために設けられている。
（Ｂ）
上記実施の形態では、秤量装置は、薬剤の調製に関する手順を表示させる表示装置１及び秤量装置２を備えているが、これに限らなくてもよく、例えば、表示装置１が設けられていなくても良い。この場合、作業者への利便性は多少劣るものの、薬剤指示ランプ３８ａ〜３８ｅの表示や秤量装置２の表示画面等によって手順を示していけばよい。
【００８９】
（Ｃ）
上記実施の形態では、輸液パック６を検知する光センサが設けられていなかったが、薬剤載置部３６のように光センサが設けられていてもよい。この場合、輸液パック６も薬剤容器の一例に対応し、懸吊部３２２は載置部の一例に対応することになる。
（Ｄ）
上記実施の形態では、第２薬剤載置ユニット３２が設けられているが、第２薬剤載置ユニット３２が設けられていなくても良い。例えば、既に点滴を受けている患者に投薬を行う場合において、注射器内で混合された薬剤を注射器から直接点滴内に注入したり、点滴チューブに設けられている三方弁等に接続した注射器から薬剤を直接注入する場合では、薬剤を輸液パック６に希釈せず、従って第２薬剤載置ユニット３２が使用されない場合もあり得るためである。
【００９０】
（Ｅ）
上記実施の形態では、図１０に示すように薬剤検出部４２（図１には図示せず）が設けられているが、設けられていなくても良い。
また薬剤検出部の一例としてバーコードリーダを挙げたが、これに限らず、ＲＦＩＤリーダーが設けられていても良い。この場合、施用ラベルあるいは輸液パック６にはバーコードに加えてまたは替えてＲＦＩＤ等を貼り付け、ＲＦＩＤリーダーにより読み取りを行う。
【００９１】
（Ｆ）
上記実施の形態では、調剤方法に溶解液注入工程Ｓ４が設けられているが、混合する全ての薬剤が液体状の場合には、溶解液注入工程Ｓ４が設けられていなくてもよい。
（Ｇ）
上記実施の形態では、薬剤ビン５と薬剤載置部３６が予め対応付けられていた。すなわち、どの薬剤ビン５をどの薬剤載置部３６に載置するかが予め決定されており、薬剤指示ランプ３８によって指示されていた。しかしながら、薬剤ビン５と薬剤載置部３６が予め対応付けられていなくても良い。
【００９２】
以下、各工程において薬剤ビン５を載置する薬剤載置部３６が予め決められていない場合について説明する。
（Ｇ１．薬剤取り揃え工程）
上記実施の形態では、図１３に示す薬剤取り揃え工程Ｓ３において、薬剤ビン５を載置する薬剤載置部３６の場所が予め決まっており、その薬剤載置部３６に対応する薬剤指示ランプ３８が薬剤セット待ち状態となっているが、薬剤ビン５を載置する薬剤載置部３６の場所が予め決められていなくても良い。
【００９３】
この場合の薬剤取り揃え工程の制御フローを図２５に示す。図２５に示す制御フローでは、図１３と異なり、Ｓ１５が設けられておらず、薬剤指示ランプ３８による薬剤載置部３６の指示が行われない。又、図２５では上記実施の形態と異なりＳ１７の代わりにＳ１１７が設けられており、Ｓ１８が設けられていない。すなわち、Ｓ１３の後にＳ１６が行われ、薬剤ビン５がどの薬剤載置部３６に載置されたか検知される。次に、Ｓ１１７において、測定動作制御部４３は、薬剤検出部４２で読取られた薬剤ビン５と検知された薬剤載置部３６とを対応付ける。このように制御を行うことにより、それぞれの薬剤の薬剤載置部３６が予め決められていなくても、どの薬剤がどの薬剤載置部３６に載置されているかの対応付けを行うことが出来る。
【００９４】
尚、このように薬剤の載置部が予め決められていない場合、薬剤載置部３６の指示が行われないため、薬剤指示ランプ３８が設けられていなくてもよい。このとき図２５のＳ１９は設けられない。
（Ｇ２．溶解液注入工程）
又、上記実施の形態では、図１５に示す溶解液注入工程Ｓ４において、取り外す薬剤ビン５を薬剤指示ランプ３８で指示し、取り外された薬剤ビン５が取り外す前の元の薬剤載置部３６に載置されるよう薬剤指示ランプ３８が薬剤セット待ち状態となっているが、取り外す薬剤ビン５及び取り外した薬剤ビン５を載置する場所が予め決められていなくても良い。
【００９５】
この場合の溶解液注入工程の制御フローを図２６に示す。図２６に示す制御フローでは、図１５のＳ３４及びＳ３６に代わり、Ｓ１３４及びＳ１３６が設けられており、Ｓ３２、Ｓ４２、及びＳ４３が設けられていない。
図２６に示すように、Ｓ３１において溶解液注入表示が行われ、作業者が任意の薬剤ビン５を取り外すと、Ｓ３３において、取り外した薬剤ビン５の場所が検知される。その後、Ｓ１３４において、取り外した薬剤ビン５の載置場所が記憶される。これにより、取り外された薬剤ビン５の薬剤の種類が分かり、溶解液が注入される予定の量も確認できる。
【００９６】
取り外した薬剤ビン５に溶解液を注入した後、再び薬剤載置部３６に薬剤ビン５を載置することになるが、作業者は空いている薬剤載置部３６に任意に薬剤ビン５を載置してもよい。この載置場所はＳ３５によって検知され、Ｓ１３６により薬剤ビン５と薬剤載置部３６とを対応付ける。すなわち、溶解液が注入された薬剤ビン５がどの薬剤載置部３６に載置されているかの対応付けを行うことが出来る。そしてＳ３９において判定部４６は、載置された薬剤ビン５に注入された溶解液の量が調剤手順とあっているか否かの判定を行う。
【００９７】
尚、このように取り外す薬剤ビン５及び載置する薬剤載置部３６の場所が予め決められていない場合には、薬剤指示ランプ３８が設けられていなくてもよい。
（Ｇ３．移注工程）
又、上記実施の形態では、図１７に示す移注工程Ｓ５において、取り外す薬剤ビン５を薬剤指示ランプ３８で指示し、取り外された薬剤ビン５が取り外す前の元の薬剤載置部３６に載置されるよう薬剤指示ランプ３８が薬剤セット待ち状態となっているが、取り外す薬剤ビン５及び載置する場所が予め決められていなくても良い。
【００９８】
この場合の移注工程の制御フローを図２７に示す。図２７に示す制御フローでは、図１７のＳ５４及びＳ５６に代わり、Ｓ１５４及びＳ１５６が設けられており、Ｓ５２、Ｓ７１、及びＳ７２が設けられていない。
図２７に示すように、Ｓ５１において移注表示が行われ、作業者が任意の薬剤ビン５を取り外すと、Ｓ５３において取り外した薬剤ビン５の載置場所が検知され、Ｓ１５４において取り外した薬剤ビン５の載置場所が記憶される。これにより、取り外された薬剤ビン５の薬剤の種類が分かり、薬剤が吸引される予定の量も調剤手順から確認できる。
【００９９】
取り外した薬剤ビン５から所定量の薬剤を吸引した後、再び薬剤載置部３６に薬剤ビン５を載置することになるが、作業者は空いている薬剤載置部３６に任意に薬剤ビン５を載置してもよい。この載置場所はＳ５５によって検知され、Ｓ１５６により薬剤ビン５と薬剤載置部３６とを対応付ける。すなわち、薬剤が吸引された薬剤ビン５がどの薬剤載置部３６に載置されているかの対応付けを行うことが出来る。取り外された薬剤ビン５は、薬剤取り揃え工程Ｓ３又は溶解液注入工程Ｓ４において、薬剤検出部４２で読取られた薬剤ビン５と薬剤載置部３６とが対応付けられているため、薬剤が吸引された薬剤ビン５がどの薬剤載置部３６に載置されているかの対応付けを行うことが出来る。そしてＳ５９において判定部４６は、載置された薬剤ビン５から吸引された薬剤の量が調剤手順と合っているか否かの判定を行う。
【０１００】
尚、このように取り外す薬剤ビン５及び載置する薬剤載置部３６の場所が予め決められていない場合には、薬剤指示ランプ３８が設けられていなくてもよい。
以上のように、いずれにせよ、薬剤ビン５と薬剤載置部３６の位置関係が対応付けられてさえいればよい。
（Ｈ）
上記実施の形態では、薬剤ビン５の載置又は取り外しを検知する検知部の一例として光センサ３７が設けられていたが、これに限られるものではなく、例えばバーコードリーダが設けられており、薬剤ビン５に貼り付けられているバーコードを読み取る構成としてもよい。更に、検知部の一例としてＲＦＩＤリーダーが設けられていてもよく、この場合、薬剤ビン５に貼り付けられているＲＦＩＤ等を読み取る。
【０１０１】
（Ｉ）
上記実施の形態では、Ｓ６２の後、輸液パック６を操作して測定値が安定した後、安定した測定値を記憶しているが、輸液パック６を操作した後、所定のボタンを押すことによって輸液パック６操作後の重量の測定が行なわれても良い。
（Ｊ）
上記実施の形態において、薬剤ビン５に注入する溶解液としては、生理食塩水が用いられているが、薬剤の種類によって適宜変更され、収容されている薬剤に溶解液が付属している場合には付属の溶解液が用いられる。また、輸液パック６内の溶液を薬剤ビン５に注入する溶解液として用いても良いし、別途溶解液を用意してもよい。
【産業上の利用可能性】
【０１０２】
本発明の秤量装置は、利便性を向上させることが出来るという効果を奏することから、薬剤を調製する調剤の際などに対して広く適用可能である。
【符号の説明】
【０１０３】
１  表示装置
２  秤量装置
３  秤量補助装置
４  制御装置
５，５ａ，５ｂ，５ｃ，５ｄ，５ｅ  薬剤ビン（薬剤容器の一例）
６  輸液パック
２１ａ  周縁
２１  秤量皿
２２  秤量装置本体
２２ａ  上面
２３  リブ
２４  操作部
３１  第１薬剤載置ユニット
３２  第２薬剤載置ユニット
３３  格納部
３４  位置決め部材
３５  封止部材
３５ａ  下面
３５ｂ  上面
３６，３６ａ，３６ｂ，３６ｃ，３６ｄ，３６ｅ  薬剤載置部（載置部の一例）
３７，３７ａ，３７ｂ，３７ｃ，３７ｄ，３７ｅ  光センサ（検知部の一例）
３８，３８ａ，３８ｂ，３８ｃ，３８ｄ，３８ｅ  薬剤指示ランプ
３９，３９ａ，３９ｂ，３９ｃ，３９ｄ，３９ｅ  検出孔
４０  調剤手順入力部
４１  調剤手順記憶部
４２  薬剤検出部
４３  測定動作制御部
４４  測定結果記憶部
４５  計算部
４６  判定部
３１１  支持部
３２１  支持部
３２２  懸吊部
３３１  配置空間
３３１ａ  底面
３３２  前側貫通孔（貫通部の一例）
３３３  後側貫通孔
３４１  平面部
３４２  固定部
３４２ａ  突出部
３４２ｂ  傾斜部
３４３  前側嵌合部
３４３ａ  挿入穴
３４４  後側嵌合部
３４４ａ  挿入穴
３５１  空間
３６１  載置面
３６２  後側支持部
３６３、３６４  傾斜面
３６３ａ、３６４ａ  貫通孔
３６５  切り欠き部
【図１】
2015152425.tif 000003
【図２】
2015152425.tif 000004
【図３】
2015152425.tif 000005
【図４】
2015152425.tif 000006
【図５】
2015152425.tif 000007
【図６】
2015152425.tif 000008
【図７】
2015152425.tif 000009
【図８】
2015152425.tif 000010
【図９】
2015152425.tif 000011
【図１０】
2015152425.tif 000012
【図１１】
2015152425.tif 000013
【図１２】
2015152425.tif 000014
【図１３】
2015152425.tif 000015
【図１４】
2015152425.tif 000016
【図１５】
2015152425.tif 000017
【図１６】
2015152425.tif 000018
【図１７】
2015152425.tif 000019
【図１８】
2015152425.tif 000020
【図１９】
2015152425.tif 000021
【図２０】
2015152425.tif 000022
【図２１】
2015152425.tif 000023
【図２２】
2015152425.tif 000024
【図２３】
2015152425.tif 000025
【図２４】
2015152425.tif 000026
【図２５】
2015152425.tif 000027
【図２６】
2015152425.tif 000028
【図２７】
2015152425.tif 000029